【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
平板状に延設された上側平板部と、
平板状に延設され、前記上側平板部の下方に配置された下側平板部と、
前記上側平板部の一端部と前記下側平板部の一端部とを連結し、上下方向に弾性を備えた第１バネ部と、
前記上側平板部の他端部と前記下側平板部の他端部の少なくとも一方に連設され他方に向かって延設されるとともに、上下方向に弾性を備え、前記上側平板部に弾発力を付与する第２バネ部とを有し、
上方から平面視したときに、前記第１バネ部と前記第２バネ部とは、前記上側平板部を中心として同一方向へ巻回される圧接コネクタであって、
前記第１バネ部は、前記上側平板部および前記下側平板部に対して折り曲げ形成され、上下方向の幅寸法が水平方向の厚み寸法よりも大きく、
前記第２バネ部は、前記上側平板部と前記下側平板部の少なくとも一方に対して折り曲げ形成され、上下方向の幅寸法が水平方向の厚み寸法よりも大きいことを特徴とする圧接コネクタ。
【請求項２】
前記上側平板部は、上下方向に沿って延設される上側板部および前記上側板部の下側に連結され水平方向における一の方向に沿って延設される中間板部からなるＬ字形状部を有する金属板の前記上側板部を前記水平方向における方向であって前記一の方向と直交する他の方向に沿って延設されるように折り曲げて形成され、
前記第１バネ部または第２バネ部は、前記Ｌ字形状部を有する前記金属板の前記中間板部を前記上下方向に沿って設定される仮想中心線の周囲を巻回するように折り曲げて形成されたことを特徴とする請求項１記載の圧接コネクタ。
【請求項３】
前記下側平板部は、上下方向に沿って延設される下側板部および前記下側板部の上側に連結され水平方向における一の方向に沿って延設される中間板部からなるＬ字形状部を有する金属板の前記下側板部を前記水平方向における方向であって前記一の方向と直交する他の方向に沿って延設されるように折り曲げて形成され、
前記第１バネ部または第２バネ部は、前記Ｌ字形状部を有する前記金属板の前記中間板部を前記上下方向に沿って設定される仮想中心線の周囲を巻回するように折り曲げて形成されたことを特徴とする請求項１記載の圧接コネクタ。
【請求項４】
前記第１バネ部は前記下側平板部の一端部から上方へ突出し、前記下側平板部の上側で巻回されるように折り曲げられ、
前記第２バネ部は前記上側平板部の他端部と前記下側平板部の他端部の一方から他方に向かって突出し、前記下側平板部の上側で巻回されるように折り曲げられていることを特徴とする請求項１ないし請求項３のいずれかに記載の圧接コネクタ。
【請求項５】
前記下側平板部には、前記第１バネ部および前記第２バネ部を避けた個所に、上方へ延出するように形成されたストッパ部が連設されたことを特徴とする請求項１ないし請求項４のいずれかに記載の圧接コネクタ。
【請求項６】
前記ストッパ部の高さ寸法は、前記下側平板部から連設される前記第１バネ部および前記第２バネ部のそれぞれの根本部の高さ寸法以上、かつ前記第１バネ部および前記第２バネ部のそれぞれの上下方向の幅寸法以上であることを特徴とする請求項５に記載の圧接コネクタ。
【請求項７】
前記ストッパ部は、前記第１バネ部および前記第２バネ部の外側に設けられていることを特徴とする請求項５または請求項６に記載の圧接コネクタ。
【請求項８】
前記第１バネ部および前記第２バネ部の上下方向の幅寸法は、下側から上側へ向うに従って全体的に小さくなるようにしたことを特徴とする請求項１ないし請求項７のいずれかに記載の圧接コネクタ。
【請求項９】
前記上側平板部の下側に前記第２バネ部から延設された補助上側平板部を備えたことを特徴とする請求項１ないし請求項８のいずれかに記載の圧接コネクタ。
【請求項１０】
前記上側平板部と前記補助上側平板部とは、接触可能に上下方向に離間して配置されていることを特徴とする請求項９に記載の圧接コネクタ。
【請求項１１】
１枚の金属板から、下側平板部と、前記下側平板部の一端部から延設される第１バネ部と、前記第１バネ部から延設される上側平板部と、前記下側平板部の他端部から延設される第２バネ部と、からなる打抜体を一体の平板状に形成する打抜工程と、
前記打抜工程の後に、前記第１バネ部を巻回するように折り曲げて形成する第１巻回工程と、
前記打抜工程の後に、前記第２バネ部を巻回するように折り曲げて形成する第２巻回工程と、
前記第２巻回工程の後に、前記第２バネ部を前記下側平板部に対して立設するように折り曲げる第２折曲工程と、
前記第１巻回工程および前記第２折曲工程の後に、前記第２バネ部に干渉しないように、前記第１バネ部を前記下側平板部に対して立設するように折り曲げる第１折曲工程とを有することを特徴とする圧接コネクタの製造方法。
【請求項１２】
水平方向に沿って平板状に延設された上側平板部と、
水平方向に沿って平板状に延設され、前記上側平板部の下方に配置された下側平板部と、
前記上側平板部の一端部と前記下側平板部の一端部とを連結し、上下方向に弾性を備えたバネ部を有する圧接コネクタであって、
前記バネ部は、前記上側平板部および前記下側平板部に対して折り曲げ形成され、上下方向の幅寸法が水平方向の厚み寸法よりも大きいことを特徴とする圧接コネクタ。
【請求項１３】
前記上側平板部は、上下方向に沿って延設される上側板部および前記上側板部の下側に連結され水平方向における一の方向に沿って延設される中間板部からなるＬ字形状部を有する金属板の前記上側板部を前記水平方向における方向であって前記一の方向と直交する他の方向に沿って延設されるように折り曲げて形成され、
前記バネ部は、前記Ｌ字形状部を有する前記金属板の前記中間板部を前記上下方向に沿って設定される仮想中心線の周囲を巻回するように折り曲げて形成されたことを特徴とする請求項１２に記載の圧接コネクタ。
【請求項１４】
前記下側平板部は、上下方向に沿って延設される下側板部および前記下側板部の上側に連結され水平方向における一の方向に沿って延設される中間板部からなるＬ字形状部を有する金属板の前記下側板部を前記水平方向における方向であって前記一の方向と直交する他の方向に沿って延設されるように折り曲げて形成され、
前記バネ部は、前記Ｌ字形状部を有する前記金属板の前記中間板部を前記上下方向に沿って設定される仮想中心線の周囲を巻回するように折り曲げて形成されたことを特徴とする請求項１２に記載の圧接コネクタ。
【請求項１５】
前記下側平板部には、前記バネ部を避けた個所に、上方へ延出するように形成されたストッパ部が連設されたことを特徴とする請求項１２ないし請求項１４のいずれかに記載の圧接コネクタ。
【請求項１６】
前記ストッパ部の高さ寸法は、前記下側平板部から連設される前記バネ部のそれぞれの根本部の高さ寸法以上、かつ前記バネ部の上下方向の幅寸法以上であることを特徴とする請求項１５に記載の圧接コネクタ。
【請求項１７】
前記ストッパ部は、前記バネ部の外側に設けられていることを特徴とする請求項１６に記載の圧接コネクタ。
【請求項１８】
前記バネ部の上下方向の幅寸法は、下側から上側へ向うに従って全体的に小さくなるようにしたことを特徴とする請求項１２ないし請求項１７のいずれかに記載の圧接コネクタ。
【請求項１９】
１枚の金属板から、水平方向に延設される中間板部と、前記中間板部の一端部に上側に向かって連設される上側板部と、前記中間板部の他端部に下側に向かって連設される下側板部とからなるクランク状打抜部を一体の平板状に形成する打抜工程と、
前記打抜工程の後に、前記上側板部を折り曲げて上側平板部を形成する上側平板部形成工程と、
前記打抜工程の後に、前記下側板部を折り曲げて下側平板部を形成する下側平板部形成工程と、
前記打抜工程の後に、前記中間板部を巻回するように折り曲げてバネ部を形成するバネ部形成工程と、を有することを特徴とする圧接コネクタの製造方法。
【手続補正２】
【補正対象書類名】明細書
【補正対象項目名】０００８
【補正方法】変更
【補正の内容】
【０００８】
本発明の圧接コネクタは、平板状に延設された上側平板部と、平板状に延設され、前記上側平板部の下方に配置された下側平板部と、前記上側平板部の一端部と前記下側平板部の一端部とを連結し、上下方向に弾性を備えた第１バネ部と、前記上側平板部の他端部と前記下側平板部の他端部の少なくとも一方に連設され他方に向かって延設されるとともに、上下方向に弾性を備え、前記上側平板部に弾発力を付与する第２バネ部とを有し、上方から平面視したときに、前記第１バネ部と前記第２バネ部とは、前記上側平板部を中心として同一方向へ巻回される圧接コネクタであって、前記第１バネ部は、前記上側平板部および前記下側平板部に対して折り曲げ形成され、上下方向の幅寸法が水平方向の厚み寸法よりも大きく、前記第２バネ部は、前記上側平板部と前記下側平板部の少なくとも一方に対して折り曲げ形成され、上下方向の幅寸法が水平方向の厚み寸法よりも大きい、ことを特徴とする。